(57)【要約】  本発明は、水性溶媒と、０．０５〜１０重量％の、水性溶媒に分散している層状ケイ酸塩と、を含み、層状ケイ酸塩が、１００ｍ２／ｇ以上の平均比表面積を有する、洗剤を提供する。洗剤は、耐久性のある洗浄容易性機能を有し、硬質物品の洗浄に必要な労力及び費用を低減することができるように、硬質物品の洗浄頻度を低下させる。【選択図】なし【特許請求の範囲】
【請求項１】
水性溶媒と、０．０５〜１０重量％の、前記水性溶媒に分散している層状ケイ酸塩と、を含み、前記層状ケイ酸塩が、１００ｍ２／ｇ以上の平均比表面積を有する、洗剤。
【請求項２】
０．１５〜３２重量％の界面活性剤を更に含む、請求項１に記載の洗剤。
【請求項３】
６〜８のｐＨを有する、請求項１又は２に記載の洗剤。
【請求項４】
前記層状ケイ酸塩が、２００ｍ２／ｇ以上の平均比表面積を有する、請求項１又は２に記載の洗剤。
【請求項５】
前記層状ケイ酸塩の含量が、１〜６重量％である、請求項１又は２に記載の洗剤。
【請求項６】
前記界面活性剤が、非イオン性界面活性剤、アニオン性界面活性剤、カチオン性界面活性剤、双極性界面活性剤、及びこれらの混合物からなる群から選択される、請求項２に記載の洗剤。
【請求項７】
前記非イオン性界面活性剤が、ポリオキシエチレン型非イオン性界面活性剤、ポリオール型非イオン性界面活性剤、アルカノールアミド型非イオン性界面活性剤、フルオロカーボン型非イオン性界面活性剤、オルガノシリコン型非イオン性界面活性剤、変性オルガノシリコン型非イオン性界面活性剤、及びこれらの混合物からなる群から選択される、請求項６に記載の洗剤。
【請求項８】
前記アニオン性界面活性剤が、カルボキシレート型アニオン性界面活性剤、スルホネート型アニオン性界面活性剤、硫酸エステル塩型アニオン性界面活性剤、リン酸エステル塩型アニオン性界面活性剤、及びこれらの混合物からなる群から選択される、請求項６に記載の洗剤。
【請求項９】
前記カチオン性界面活性剤が、複素環型カチオン性界面活性剤、四級アンモニウム型カチオン性界面活性剤、及びこれらの混合物からなる群から選択される、請求項６に記載の洗剤。
【請求項１０】
前記双極性界面活性剤が、アミノ酸型界面活性剤、ベタイン型界面活性剤、及びこれらの混合物からなる群から選択される、請求項６に記載の洗剤。
【請求項１１】
かび汚れ阻害剤、抗菌剤、芳香剤、増粘剤、顔料、染料、又はこれらの混合物を更に含む、請求項１又は２に記載の洗剤。
【請求項１２】
前記層状ケイ酸塩が、ベントナイト；モンモリロナイト；カオリン；精製ベントナイト、精製モンモリロナイト、又は精製カオリン；イオン変性ベントナイト、イオン変性モンモリロナイト、又はイオン変性カオリン；及びこれらの混合物からなる群から選択される、請求項１又は２に記載の洗剤。
【請求項１３】
前記洗剤が、液体又はゲルの形態である、請求項１又は２に記載の洗剤。
【請求項１４】
硬質物品を洗浄するための、請求項１〜１３のいずれか一項に記載の洗剤の使用。
【請求項１５】
前記硬質物品が、セラミック物品、ステンレス鋼物品、ガラス物品、又はポリマー物品である、請求項１４に記載の使用。
【発明の詳細な説明】
【技術分野】
【０００１】
（関連出願の相互参照）
本願は、２０１２年１０月１１日出願の中国特許出願第２０１２１０３８４３５２．２号の利益を主張し、その開示全体を参照することによって本明細書に援用する。
【０００２】
（発明の分野）
本発明は、洗剤及び硬質物品を洗浄するための洗剤の使用に関する。
【背景技術】
【０００３】
硬質物品を洗浄するための多くの洗剤が市販されている。しかし、市場におけるトイレ用洗剤の大部分は、酸性処方を有し、台所用洗剤は、アルカリ性処方を有する。一般的に、これら洗剤は、刺激臭を有し、腐食性である。更に、一般的な家庭用洗剤は、即座の洗浄効果しかもたらさず、耐久性のある洗浄容易性（ｅａｓｙ−ｃｌｅａｎｉｎｇ）機能を有しないので、洗浄に必要な労力が増す。更に、多くの洗剤は、強いアルカリ性又は酸性の特性を有し、長期間用いた場合、硬質物品を損傷させる。社会の発展及び技術の進歩にともなって、硬質物品を洗浄及び維持するための消費者の要求が高まっている。
【０００４】
国際公開第２００９０４０５９７Ａ１号には、２５〜３５％の結晶化度、０．５〜１．５μｍの粒径、及び１０〜５０ｍ２／ｇの比表面積を有する固体無機粒子を０．１〜６０重量％含む硬質表面洗剤が記載されている。表面を洗浄するためにこの洗剤を用いる場合、洗浄される表面の親水性を高めながら、洗浄される表面の磨耗による損傷を低減することができる。しかし、国際公開第２００９０４０５９７Ａ１号に開示されている硬質表面洗剤は、耐久性のある洗浄容易性及び保護機能には関連していない。
【発明の概要】
【発明が解決しようとする課題】
【０００５】
耐久性のある洗浄容易性機能を有する洗剤は、消費者にとって魅力的である。その理由は、耐久性のある洗浄容易性機能により、硬質物品の洗浄に必要な労力を減らすことができるように硬質物品の洗浄頻度を低下させることができ、硬質物品の洗浄に必要な費用を節約することができ、環境汚染を低減することができるためである。これら消費者の要求に関して、耐久性のある洗浄容易性機能を有する洗剤が必要とされている。
【課題を解決するための手段】
【０００６】
本発明の目的は、硬質物品の洗浄頻度を低下させ且つ環境汚染を低減することができる、耐久性のある洗浄容易性機能を有する洗剤、及び硬質物品を洗浄するための洗剤の使用を提供することである。
【０００７】
本発明の態様によれば、水性溶媒と、０．０５〜１０重量％の、水性溶媒に分散している層状ケイ酸塩と、を含み、層状ケイ酸塩が、１００ｍ２／ｇ以上の平均比表面積を有する、洗剤が提供される。洗剤は、液体又はゲルの形態である。
【０００８】
本発明によれば、硬質物品の洗浄頻度を低下させ且つ環境汚染を低減することができる、耐久性のある洗浄容易性機能を有する洗剤を提供することができる。洗剤は、硬質物品の洗浄頻度を低下させることにより、硬質物品の洗浄に必要な労力及び費用を低減することができる。
【０００９】
本発明の好ましい実施形態では、洗剤は、０．１５〜３２重量％の界面活性剤を更に含む。
【００１０】
本発明の好ましい実施形態では、洗剤は、ｐＨ調整剤を添加することなく、６〜８のｐＨを有することができる。本発明のこの実施形態によれば、耐久性のある洗浄容易性機能及び中性処方の両方を有し、中性処方の使用により硬質物品に腐食を引き起こさず且つユーザの手に炎症を引き起こさずに、硬質物品の洗浄頻度を低下させ且つ環境汚染を低減することができる、洗剤を提供することができる。
【００１１】
本発明の好ましい実施形態では、層状ケイ酸塩は、好ましくは、２００ｍ２／ｇ以上の平均比表面積を有し、層状ケイ酸塩の含量は、好ましくは、１〜６重量％である。
【００１２】
本発明の好ましい実施形態では、界面活性剤は、好ましくは、非イオン性界面活性剤、アニオン性界面活性剤、カチオン性界面活性剤、双極性界面活性剤、及びこれらの混合物からなる群から選択される。非イオン性界面活性剤は、好ましくは、ポリオキシエチレン型非イオン性界面活性剤、ポリオール型非イオン性界面活性剤、アルカノールアミド型非イオン性界面活性剤、フルオロカーボン型非イオン性界面活性剤、オルガノシリコン型及び変性オルガノシリコン型非イオン性界面活性剤、並びにこれらの混合物からなる群から選択される。アニオン性界面活性剤は、好ましくは、カルボキシレート型アニオン性界面活性剤、スルホネート型アニオン性界面活性剤、硫酸エステル塩型アニオン性界面活性剤、リン酸エステル塩型アニオン性界面活性剤、及びこれらの混合物からなる群から選択される。カチオン性界面活性剤は、好ましくは、複素環型カチオン性界面活性剤、四級アンモニウム型カチオン性界面活性剤、及びこれらの混合物からなる群から選択される。双極性界面活性剤は、好ましくは、アミノ酸型界面活性剤、ベタイン型界面活性剤、及びこれらの混合物からなる群から選択される。
【００１３】
本発明の好ましい実施形態では、洗剤は、かび汚れ阻害剤、抗菌剤、芳香剤、増粘剤、顔料、染料、又はこれらの混合物を更に含む。
【００１４】
本発明の好ましい実施形態では、層状ケイ酸塩は、ベントナイト；モンモリロナイト；カオリン；精製ベントナイト、精製モンモリロナイト又は精製カオリン；イオン変性ベントナイト、イオン変性モンモリロナイト又はイオン変性カオリン；及びこれらの混合物からなる群から選択される。
【００１５】
本発明の別の態様によれば、硬質物品の洗浄について上記した通りの洗剤の使用が提供される。硬質物品は、セラミック物品、ステンレス鋼物品、ガラス物品、又はポリマー物品であってよい。
【発明を実施するための形態】
【００１６】
本発明に係る洗剤は、水性溶媒と、０．０５〜１０重量％の、水性溶媒に分散している層状ケイ酸塩とを含み、層状ケイ酸塩は、１００ｍ２／ｇ以上の平均比表面積を有する。本発明で用いられる水性溶媒は、水、又は水とアルコール若しくはエーテルとの混合物であってよく、好ましくは、水である。
【００１７】
本発明では、層状ケイ酸塩が、１００ｍ２／ｇ以上の高い比表面積を有することが重要である。１００ｍ２／ｇ以上の平均比表面積を有する層状ケイ酸塩は、多くの表面活性部位を含有し、それによって、洗浄される表面との結合力が高まるので、硬質物品を洗浄するとき、硬質物品上に親水性保護膜が残ると考えられる。保護膜の存在により、硬質物品の親水性は、洗浄された表面が耐久性のある洗浄容易性機能を有するように維持され得、それによって、洗浄される表面の洗浄期間が延長される。しかし、比表面積が１００ｍ２／ｇ未満である場合、安定な洗剤系を得ることができない。好ましくは、本発明で用いられる層状ケイ酸塩は、２００ｍ２／ｇ以上の平均比表面積を有する。層状ケイ酸塩の平均比表面積の上限は、特に限定されないが、層状ケイ酸塩は、好ましくは、３００ｍ２／ｇ以下の平均比表面積を有する。
【００１８】
比表面積は、従来の窒素吸着法（ＢＥＴ法）によって測定することができる。本発明では、層状ケイ酸塩の混合物を用いる場合、混合物中の層状ケイ酸塩は、混合物の平均比表面積が１００ｍ２／ｇ以上である限り、１００ｍ２／ｇ未満の比表面積を有してもよい。混合物の平均比表面積は、以下の式によって計算することができる：
Ｓ平均＝Σｘｉ＊Ｓｉ
Ｓ平均＝層状ケイ酸塩の混合物の平均比表面積、
ｘｉ＝層状ケイ酸塩の混合物中の層状ケイ酸塩の重量パーセント、
Ｓｉ＝層状ケイ酸塩の比表面積。
【００１９】
本発明に係る洗剤では、層状ケイ酸塩の含量は、洗剤の総重量に基づいて０．０５〜１０重量％、好ましくは１〜６重量％、より好ましくは２〜５重量％である。層状ケイ酸塩の含量が０．０５重量％未満である場合、洗剤の洗浄容易性特性が損なわれる。層状ケイ酸塩の含量が１０重量％超である場合、洗剤は、非常に高い粘度を有し、ユーザにとって不便である。
【００２０】
本発明の実施形態では、洗剤は、層状ケイ酸塩及び水性溶媒からなってよい。本発明の別の実施形態では、洗剤は、層状ケイ酸塩及び水性溶媒に加えて、界面活性剤を更に含んでよい。界面活性剤の含量は、洗剤の総重量に基づいて、０．１５〜３２重量％、好ましくは０．５〜１０重量％、より好ましくは１〜５重量％である。
【００２１】
界面活性剤は、非イオン性界面活性剤、アニオン性界面活性剤、カチオン性界面活性剤、双極性界面活性剤、及びこれらの混合物からなる群から選択してよい。非イオン性界面活性剤が好ましい。
【００２２】
非イオン性界面活性剤は、ポリオキシエチレン型非イオン性界面活性剤（例えば、アルキルフェノールポリオキシエチレンエーテル、高炭素脂肪族アルコールポリオキシエチレンエーテル、脂肪酸ポリオキシエチレンエステル、ポリオキシエチレンアミン、ポリオキシエチレンアミド、ポリプロピレングリコールのエチレンオキシド付加物、及びポリオキシエチレン化イオン性界面活性剤）；ポリオール型非イオン性界面活性剤（例えば、ソルビタンエステル及びショ糖エステル）；アルカノールアミド型非イオン性界面活性剤；フルオロカーボン型非イオン性界面活性剤；オルガノシリコン型非イオン性界面活性剤；変性オルガノシリコン型非イオン性界面活性剤；及びこれらの混合物からなる群から選択してよい。
【００２３】
アニオン性界面活性剤は、カルボキシレート型アニオン性界面活性剤；スルホネート型アニオン性界面活性剤（例えば、アルキルベンゼンスルホネート、α−アルケンスルホネート、アルキルスルホネート、α−スルホモノカルボキシレート、アルキル脂肪酸スルホネート、スクシネートスルホネート、アルキルナフタレンスルホネート、石油スルホネート、リグニンスルホネート、アルキルグリセリルエーテルスルホネート等）；硫酸エステル塩型アニオン性界面活性剤（例えば、脂肪族アルコールポリオキシエチレンエーテル硫酸エステル塩、ドデシル硫酸ナトリウム等）；リン酸エステル塩型アニオン性界面活性剤（例えば、脂肪族アルコールポリオキシエチレンエーテルのリン酸モノ又はジエステル塩、及びアルキルフェノールポリオキシエチレンエーテルのリン酸モノ又はジエステル塩）；及びこれらの組み合わせからなる群から選択してよい。
【００２４】
カチオン性界面活性剤は、複素環型カチオン性界面活性剤（例えば、ビグアニド）；四級アンモニウム型（例えば、長鎖アルキルアンモニウムブロミド及び長鎖アルキルアンモニウムクロリド）、及びこれらの混合物からなる群から選択してよい。
【００２５】
双極性界面活性剤は、アミノ酸型界面活性剤；ベタイン型界面活性剤（例えば、ヤシ油アルキルジメチルベタイン及びヤシ油アミドプロピルベタイン）、及びこれらの混合物からなる群から選択してよい。
【００２６】
本発明に係る洗剤は、添加剤を更に含んでよい。添加剤は、かび汚れ阻害剤、抗菌剤、芳香剤、増粘剤、顔料、染料、及び／又はｐＨ調整剤からなる群から選択される。添加剤の含量は、０．０００１〜２重量％である。かび汚れ阻害剤又は抗菌剤は、アミン、アルコール（例えば、エタノール）、アルデヒド、イソチアゾール（例えば、５−クロロ−２−メチル−４−イソチアゾリン−３−オン）、イミダゾール、エステル、塩素含有化合物、ペルオキシド、カルボン酸、アニリド、カルバメート（例えば、３−ヨード−２−プロピニルブチルカルバメート）、オキシド、スルフィド、スルホンアミド、四級アンモニウム塩、ニトリル、ビグアニド型化合物（例えば、クロルヘキシジン）、ピリジン、フェノール、フタルイミド、ヨウ素含有化合物等からなる群から選択してよい。増粘剤は、無機増粘剤（例えば、ヒュームドシリカ、珪藻岩、アタパルジャイト粘土、シリカゲル）；セルロース（例えば、メチルセルロース、ヒドロキシルプロピルメチルセルロース、カルボキシメチルセルロースナトリウム、ヒドロキシエチルセルロース、及びこれらの塩類）；天然ポリマー及びその誘導体（例えば、デンプン、ゼラチン、アルギン酸ナトリウム、カゼイン、グアーガム、キトサン、アラビアガム、キサンタンガム、ダイズタンパク質ガム、天然ゴム、ラノリン、及び寒天）；合成ポリマー（例えば、ポリアクリルアミド、ポリビニルアルコール、ポリビニルピロリドン、ポリオキシエチレン、ポリアクリル酸、ポリ（アクリル酸ナトリウム）、ポリアクリレート共重合エマルション、及びポリウレタン）からなる群から選択してよい。芳香剤は、様々な合成又は抽出天然芳香剤（例えば、青リンゴフレーバー、レモンフレーバー、オレンジフレーバー等）からなる群から選択してよい。顔料は、有機顔料及び無機顔料からなる群から選択してよい。無機顔料は、金属の酸化物及び塩類（例えば、硫化物、硫酸塩、クロム酸塩、モリブデン酸塩）に加えてカーボンブラックであってよい。有機顔料は、アゾ顔料、フタロシアニン顔料、複素環顔料、レーキ顔料、染料、蛍光増白剤、及び蛍光顔料であってよい。
【００２７】
本発明の洗剤は、水性溶媒に層状ケイ酸塩粉末を分散させることによって製造することができる。更に、他の成分が含有されている場合、他の成分を更に混合し、層状ケイ酸塩の分散液に分散させてよい。例えば、特定の量の脱イオン水を容器に量り入れ、次いで、（例えば、６５００回転／分の速度のＩＫＡ高速分散機を用いて）高速撹拌下で特定の量の層状ケイ酸塩粉末をゆっくりとそれに添加し、得られた混合物を粉末が完全に分散するまで連続的に撹拌し、分散させる。その後、透明性を高めるために層状ケイ酸塩粒子がより小さな粒子に更に分散するように、分散した液体を室温又は特定の温度（例えば、５０℃）である期間放置する。次いで、（例えば、１００回転／分の速度の）低速撹拌下で界面活性剤及び他の添加剤を添加し、界面活性剤及び他の添加剤が均質に分散するように、特定の時間連続的に撹拌する。
【００２８】
本発明の洗剤は、セラミック物品、ステンレス鋼物品、ガラス物品、及びポリマー（例えば、ＰＭＭＡ）物品等の硬質物品を洗浄するために用いてよい。具体的には、本発明の洗剤は、硬質物品を直接洗浄するために硬質物品に塗布するか、又は洗剤を洗浄媒体に塗布し、次いで、硬質物品を洗浄媒体で洗浄する。塗布は、散布、噴霧等を用いて実施してよい。
【実施例】
【００２９】
以後、実施例を参照して本発明を例示するが、これら実施例は、本発明の範囲を限定するものではない。
【００３０】
実施例で用いられる原材料を以下の表１に示す。
【００３１】
【表１】
2015532337.tif 000002
【００３２】
（実施例１）
５ｇのベントナイトＫＡ５１７（比表面積２５０ｍ２／ｇ）を９５ｇの脱イオン水に添加し、高速（１３５００回転／分）で１５分間分散させ、次いで、５重量％の固形分含量を有するゲルを得るために、少なくとも２時間室温で放置した。０．５ｇのＢｅｒｏｓｏｌ  ＥＣ非イオン性界面活性剤をゲルに添加し、７〜８のｐＨ範囲を有する無色透明なゲルを得るために、十分且つ均質に撹拌した。
【００３３】
（実施例２〜８）
実施例１と同様に、実施例２〜８の洗剤を製造した。用いた条件及び結果を表２に示した。
【００３４】
比較例１及び２
実施例１と同様に、比較例１及び２の洗剤を製造した。用いた条件及び結果を表２に示した。
【００３５】
（実施例９）
０．２５ｇのベントナイトＫＡ５１７（比表面積２５０ｍ２／ｇ）及び０．２５ｇの変性ベントナイト（比表面積３０ｍ２／ｇ）を４９．５ｇの脱イオン水に添加し、高速（１３５００回転／分）で１５分間分散させ、次いで、１重量％の固形分含量を有するゲルを得るために、少なくとも２時間室温で放置した。０．０９ｇのＢｅｒｏｓｏｌ  ＥＣ非イオン性界面活性剤をゲルに添加し、６〜７のｐＨ範囲を有する不透明な液体を得るために、十分且つ均質に撹拌した。
【００３６】
（実施例１０〜１２）
実施例９と同様に、実施例１０〜１２の洗剤を製造した。用いた条件及び結果を表２に示した。
【００３７】
比較例３及び４
実施例９と同様に、比較例３及び４の洗剤を製造した。用いた条件及び結果を表２に示した。
【００３８】
（実施例１３）
３．３ｇのベントナイトＫＡ５１７（比表面積２５０ｍ２／ｇ）を９６．７ｇの脱イオン水に添加し、高速（１３５００回転／分）で１０分間分散させ、次いで、３．３重量％の固形分含量を有するゲルを得るために、少なくとも２時間室温で放置した。０．５ｇのＢｅｒｏｓｏｌ  ＥＣ非イオン性界面活性剤をゲルに添加し、十分且つ均質に撹拌し、次いで、７〜８のｐＨ範囲を有する透明なゲルを得るために、５ｇの無水エタノールを添加した。
【００３９】
（実施例１４〜１６）
実施例１３と同様に、実施例１４〜１６の洗剤を製造した。用いた条件及び結果を表２に示した。
【００４０】
（実施例１７）
０．０５ｇのベントナイトＫＡ５１７（比表面積２５０ｍ２／ｇ）を９９．９５ｇの脱イオン水に添加し、高速（１３５００回転／分）で１０分間分散させ、次いで、０．０５重量％の固形分含量及び７〜８のｐＨ範囲を有する透明な液体を得るために、少なくとも２時間室温で放置した。
【００４１】
（実施例１８）
実施例１７と同様に、実施例１８の洗剤を製造した。用いた条件及び結果を表２に示した。
【００４２】
比較例５
実施例１７と同様に、比較例５の洗剤を製造した。用いた条件及び結果を表２に示した。
【００４３】
（実施例１９）
１．５ｇのベントナイトＫＡ５１７（比表面積２５０ｍ２／ｇ）を９８．５ｇの脱イオン水に添加し、高速（１３５００回転／分）で１０分間分散させ、次いで、１．５重量％の固形分含量及び７〜８のｐＨ範囲を有する透明な液体を得るために、少なくとも２時間室温で放置した。ｐＨを１０〜１１に調整するために、５重量％  ＮａＯＨ水溶液を滴下した。
【００４４】
比較例６
実施例１９と同様に、比較例６の洗剤を製造した。用いた条件及び結果を表２に示した。
【００４５】
実施例で製造した本発明の洗剤の表面親水性、表面親水性の耐久性、及び油除去性能を、以下の測定方法に従って評価した。
【００４６】
１．表面親水性試験
実施例で製造した各洗剤１ｇを硬質物品（例えば、セラミックタイル）の表面に塗布した。硬質物品を、３Ｍ  Ｓｃｏｔｃｈ−Ｂｒｉｔｅトイレブラシで１０分間、前後にこすった。次いで、水ですすぐことによって残留洗剤を除去し、硬質物品を自然乾燥させた。上記表面と水との初期接触角を、Ｋｒｕｓｓ  ＤＳＡ  １００接触角計を用いて測定した。接触角が小さいほど、親水性が良好である。
【００４７】
２．表面親水性の耐久性試験
試験サンプルを４５°傾斜させたステンレス鋼パネル上に置き、サンプルの上方２メートルの位置に水タンクを固定した。長さ１．７メートル、直径１ｃｍのステンレス鋼水道管を、水タンクの下方に垂直に置いた。水すすぎ速度を制御するために継電器をセットした。各すすぎ時間は７秒間であり、水の堆積は８００ｍＬであった。５０回水ですすいだ後、９０秒間圧縮空気流を吹き付けることによって表面を乾燥させ、次いで、接触角を試験し、記録した。
【００４８】
３．油除去性能試験
カーボンブラックと混合した植物油１滴を、試験したパネル上に落とし、次いで、水流下で紙又は布地で拭き取った。油汚れの有無を目視検査した。概して、測定領域に水の膜が依然として存在しているかどうかを観察した。測定領域に水の膜が存在していた場合、測定した表面に９０秒間圧縮空気流を吹き付け、油を十分に除去することができなくなるまで上記工程を繰り返し、試験回数を記録した。試験に２０回合格した場合、試験をやめ、試験回数「＞２０」と記録した。
【００４９】
本発明の洗剤の表面親水性、表面親水性の耐久性、及び油除去性能の結果を表２に示した。
【００５０】
【表２−１】
2015532337.tif 000003
【表２−２】
2015532337.tif 000004
ａ  ＡＳＡＰ２０１０（Ｍｉｃｒｏｍｅｒｉｔｉｃｓ，Ｕ．Ｓ．Ａ）装置によって測定した。測定手順は、以下の通りであった：サンプル管を１６０℃で加熱し、真空が２μｍＨｇ（０．３Ｐａ）に達するまで少なくとも２時間真空下で脱気した。サンプルを仕込み、サンプル管を１００℃で加熱し、真空が２μｍＨｇ（０．３Ｐａ）に達するまで少なくとも８時間真空下で脱気した。
ｂ  安定性を評価するための方法：ゲルをガラス瓶に仕込み、密閉し、室温で１０日間放置した。次いで、ゲルから水がにじんでいるかどうかを観察した。水がにじんでいた場合、ゲルは「不安定」であると記載し、水がにじんでいなかった場合、ゲルは「安定」であると記載した。
ｃ  比較例１〜６における「−」は、データが入手不可能であるように系が不安定であることを表す。
【００５１】
上記表２に示す通り、本発明の洗剤の初期接触角は、１５°以内であり、これは、洗剤が、優れた親水性を有することを示す。５０回水ですすいだ後、本発明の洗剤の接触角は、依然として２２°以内であり、これは、洗剤が、優れた表面親水性の耐久性を有することを示す。更に、本発明の洗剤は、更に、良好な油除去性能を有する。しかし、比較例１〜６では、比表面積が１００ｍ２／ｇ未満であることから、安定な洗剤系を得ることが不可能である。
【００５２】
本発明の実施形態を以下の通り要約する：
項目１は、水性溶媒と、０．０５〜１０重量％の、前記水性溶媒に分散している層状ケイ酸塩と、を含み、前記層状ケイ酸塩が、１００ｍ２／ｇ以上の平均比表面積を有する、洗剤である。
【００５３】
項目２は、０．１５〜３２重量％の界面活性剤を更に含む、項目１に記載の洗剤である。
【００５４】
項目３は、６〜８のｐＨを有する、項目１又は２に記載の洗剤である。
【００５５】
項目４は、前記層状ケイ酸塩が、２００ｍ２／ｇ以上の平均比表面積を有する、項目１又は２に記載の洗剤である。
【００５６】
項目５は、前記層状ケイ酸塩の含量が、１〜６重量％である、項目１又は２に記載の洗剤である。
【００５７】
項目６は、前記界面活性剤が、非イオン性界面活性剤、アニオン性界面活性剤、カチオン性界面活性剤、双極性界面活性剤、及びこれらの混合物からなる群より選択される、項目２に記載の洗剤である。
【００５８】
項目７は、前記非イオン性界面活性剤が、ポリオキシエチレン型非イオン性界面活性剤、ポリオール型非イオン性界面活性剤、アルカノールアミド型非イオン性界面活性剤、フルオロカーボン型非イオン性界面活性剤、オルガノシリコン型非イオン性界面活性剤、変性オルガノシリコン型非イオン性界面活性剤、及びこれらの混合物からなる群から選択される、項目６に記載の洗剤である。
【００５９】
項目８は、前記アニオン性界面活性剤が、カルボキシレート型アニオン性界面活性剤、スルホネート型アニオン性界面活性剤、硫酸エステル塩型アニオン性界面活性剤、リン酸エステル塩型アニオン性界面活性剤、及びこれらの混合物からなる群から選択される、項目６に記載の洗剤である。
【００６０】
項目９は、前記カチオン性界面活性剤が、複素環型カチオン性界面活性剤、四級アンモニウム型カチオン性界面活性剤、及びこれらの混合物からなる群から選択される、項目６に記載の洗剤である。
【００６１】
項目１０は、前記双極性界面活性剤が、アミノ酸型界面活性剤、ベタイン型界面活性剤、及びこれらの混合物からなる群から選択される、項目６に記載の洗剤である。
【００６２】
項目１１は、かび汚れ阻害剤、抗菌剤、芳香剤、増粘剤、顔料、染料、又はこれらの混合物を更に含む、項目１又は２に記載の洗剤である。
【００６３】
項目１２は、前記層状ケイ酸塩が、ベントナイト；モンモリロナイト；カオリン；精製ベントナイト、精製モンモリロナイト、又は精製カオリン；イオン変性ベントナイト、イオン変性モンモリロナイト、又はイオン変性カオリン；及びこれらの混合物からなる群から選択される、項目１又は２に記載の洗剤である。
【００６４】
項目１３は、液体又はゲルの形態である、項目１又は２に記載の洗剤である。
【００６５】
硬質物品を洗浄するための、項目１〜１３のいずれか１つに記載の洗剤の使用。硬質物品は、セラミック物品、ステンレス鋼物品、ガラス物品、又はポリマー物品である。
【国際調査報告】
2015532337.tif 000005
2015532337.tif 000006
2015532337.tif 000007
2015532337.tif 000008